(57)【要約】  液体流路に設けられた接続部（３１）に接続される接続孔（１２ａ）、接続孔（１２ａ）に連なる液体収容室（２１）および液体収容室（２１）に連なる排気用開口（１３）を備えるケース体（１０）と、気体を透過させ、且つ液体を透過させない材質で形成され、ケース体（１０）に装着されて排気用開口（１３）を覆うフィルタ（２２）とを有し、液体流路をプライミングする際に用いられるキャップ（１）であって、ケース体（１０）に装着され、接続孔（１２ａ）を閉塞するとともに、接続部（３１）を接続孔（１２ａ）に接続したときに、流体流路が液体収容室（２１）に連通可能に構成されるシール部材（２０，４０，５０）を有することを特徴とする。
2014132293.tif 000002
【特許請求の範囲】
【請求項１】
液体流路に設けられた接続部に接続される接続孔、該接続孔に連なる液体収容室および該液体収容室に連なる排気用開口を備えるケース体と、
気体を透過させ、かつ、液体を透過させない材質で形成され、前記ケース体に装着されて前記排気用開口を覆うフィルタと、を有し、
前記液体流路をプライミングする際に用いられるキャップであって、
前記ケース体に装着され、前記接続孔を閉塞するとともに、前記接続部を前記接続孔に接続したときに、前記流体流路が前記液体収容室に連通可能に構成されるシール部材を有することを特徴とするキャップ。
【請求項２】
前記シール部材は、弾性体により形成され、オスコネクタにより構成される前記接続部が前記接続孔に接続されたときに開く弁体であることを特徴とする請求項１に記載のキャップ。
【請求項３】
前記シール部材は、針状に形成された前記接続部を刺し込み可能な栓体であることを特徴とする請求項１に記載のキャップ。
【請求項４】
前記ケース体に通気孔を備えたカバーが装着され、前記ケース体と前記カバーとの間に前記フィルタが配置されることを特徴とする請求項１に記載のキャップ。
【発明の詳細な説明】
【技術分野】
【０００１】
本発明は、例えば輸液ライン等の液体流路に設けられる接続部に接続されて、液体流路をプライミングする際に用いられるキャップに関する。
【背景技術】
【０００２】
従来から、薬液等の液体を医療用のチューブを通して体内へ送るようにした輸液ラインに他の輸液ラインを接続して、メインの輸液ラインを流れる液体に抗がん剤等の他の液体を混注することが行われている。この場合、他の輸液ラインの末端にはルアー等のオスコネクタが設けられ、このオスコネクタをメインの輸液ラインの途中に設けられたメスコネクタに挿し込むことで、他の輸液ラインはメインの輸液ラインに接続される。【０００３】
メインの輸液ラインに他の輸液ラインを接続する際には、他の輸液ラインのチューブ内の空気が患者の体内へ送られることを防止するために、当該接続の前にチューブ内の空気を液体に置換するプライミングが行われる。プライミングには種々の方法があるが、他の輸液ラインの末端に設けられるオスコネクタにプライミング用キャップを接続し、このキャップを通じて液体流路内の空気のみを外部に排出し、液体を液体流路内に保持してプライミングを行うようにした技術が開発されている。【０００４】
このようなキャップとして、例えば特許文献１には、内部容量を備える円筒状の貯蔵装置の一端に、オスコネクタの開口に接続される第１開口部を設けるとともに、他端に気体は透過させるが液体は透過させないフィルタを設けたものが記載されている。このキャップでは、オスコネクタに接続されてチューブ内の空気が接続孔を介して貯蔵装置の内部に流入すると、フィルタを通してこの空気を外部に排出することができる。そして、チューブ内の空気が全て排出され、貯蔵装置内が液体で満たされることによりプライミングが完了する。【０００５】
このようなキャップに接続されるオスコネクタは、液体の不意の流出を防止するために、メスコネクタに接続されたときにのみ開く内部弁を備えた構成のものが用いられ、当該内部弁を開閉するための作動片がオスコネクタに設けられている。一方、従来のキャップの貯蔵装置の外側には軸方向に沿って移動自在にハウジングが設けられ、このハウジングを操作することにより、オスコネクタの作動アームを押し下げて内部弁を開放できるように構成されている。また、オスコネクタは、キャップが取り外されたときに、操作片の押込みが解除されてオスコネクタは内部弁が閉じた状態に戻されるとともに、キャップの貯蔵装置からプライミング後の液体を引き戻すように構成されている。
【先行技術文献】
【特許文献】
【０００６】
【特許文献１】特表２００９−５２２０４８号公報
【発明の概要】
【発明が解決しようとする課題】
【０００７】
しかしながら、従来のキャップでは、プライミングの完了後、キャップを輸液ラインのオスコネクタから取り外すと、貯蔵装置の接続孔が開放された状態となるので、貯蔵装置内に残った液体が接続孔から外部に漏れ出すおそれがある。そのため、プライミング後のキャップを慎重に取り扱う必要があり、その作業は不便であった。【０００８】
本発明は、従来技術が抱えるこのような問題を解決することを課題とするものであり、その目的とするところは、プライミングの完了後、接続部から取り外されたときに液体が外部へ漏れ出すことを防止することができるキャップを提供することにある。
【課題を解決するための手段】
【０００９】
本発明のキャップは、液体流路に設けられた接続部に接続される接続孔、該接続孔に連なる液体収容室および該液体収容室に連なる排気用開口を備えるケース体と、気体を透過させ、かつ、液体を透過させない材質で形成され、前記ケース体に装着されて前記排気用開口を覆うフィルタと、を有し、前記液体流路をプライミングする際に用いられるキャップであって、前記ケース体に装着され、前記接続孔を閉塞するとともに、前記接続部を前記接続孔に接続したときに、前記流体流路が前記液体収容室に連通可能に構成されるシール部材を有することを特徴とする。【００１０】
上記構成においては、前記シール部材は、弾性体により形成され、オスコネクタにより構成される前記接続部が前記接続孔に接続されたときに開く弁体であるのが好ましい。【００１１】
上記構成においては、前記シール部材は、針状に形成された前記接続部を刺し込み可能な栓体であるのが好ましい。【００１２】
上記構成においては、前記ケース体に通気孔を備えたカバーが装着され、前記ケース体と前記カバーとの間に前記フィルタが配置されるのが好ましい。
【発明の効果】
【００１３】
本発明によれば、ケース体に、液体収容室に連なる接続孔を閉塞するとともに、接続部を接続孔に接続したときに流体流路が液体収容室に連通可能に構成されるシール部材を装着することにより、キャップを接続部から取り外したときに、シール部材により液体収容室に連なる接続孔を閉塞することができるので、プライミングの完了後、キャップが接続部から取り外されたときに、液体収容室から接続孔を通って液体が外部へ漏れ出すことを防止することができる。特に、抗がん剤を投与するための液体流路のプライミングに本発明のキャップを用いることで、キャップから抗がん剤が漏れ出すことによる被爆を防止することができる。このように、プライミング完了後には、キャップを接続部から取り外すだけの簡単な手順で、液体収容室から液体を外部に漏出させることなく容易かつ安全にキャップを取り扱う行うことができる。【００１４】
本発明によれば、シール部材を、弾性体により形成され、オスコネクタにより構成される接続部が接続孔に接続されたときに開く弁体とすることにより、接続孔を閉塞するシール部材を簡単な構成として、このキャップのコストを低減することができる。【００１５】
本発明によれば、シール部材を、針状に形成された接続部を刺し込み可能な栓体とすることにより、接続孔を閉塞するシール部材を簡単な構成として、このキャップのコストを低減することができる。【００１６】
本発明によれば、ケース体に通気孔を備えたカバーを装着し、ケース体とカバーとの間でフィルタを配置するようにしたので、フィルタの取り付け構造を簡素化することができる。また、カバーによりフィルタを保護することができるので、フィルタが破れて液体収容室から液体が漏れ出すことを防止することができる。
【図面の簡単な説明】
【００１７】
【図１】本発明の一実施の形態であるキャップを輸液ラインに接続する前の状態を示す説明図である。
【図２】図１に示すキャップの詳細を示す斜視図である。
【図３】図２に示すキャップの断面図である。
【図４】図１に示すオスコネクタの詳細を示す斜視図である。
【図５】図２に示すキャップのオスコネクタに接続された状態の断面図である。
【図６】図２に示すキャップの変形例を示す斜視図である。
【図７】図６に示すキャップの断面図である。
【図８】図６に示すキャップのオスコネクタに接続された状態の断面図である。
【図９】図７に示すキャップの変形例であってシール部材として栓体を用いた場合の断面図である。
【発明を実施するための形態】
【００１８】
以下、図面を参照しつつ本発明の一実施の形態であるキャップの詳細について例示説明する。
【００１９】
本発明の一実施の形態であるキャップ１はプライミング用キャップとも呼ばれるものであり、図１に示すように、例えば輸液ライン２をプライミングする際に用いられる。
【００２０】
この輸液ライン２は、患者に薬液等の液体を投与するメインの輸液ライン（不図示）に接続されて、メインの輸液ラインに抗がん剤を混注するためのものであり、調剤済みの抗がん剤を収容する輸液バッグ３、輸液バッグ３にコネクタ４を介して接続される医療用のチューブ５およびチューブ５の末端に接続されたオスコネクタ６を有している。メインの輸液ラインの途中にはメスコネクタが設けられ、このメスコネクタに輸液ライン２のオスコネクタ６を接続することにより、輸液ライン２から抗がん剤をメインの輸液ラインに混注することができる。なお符号７は輸液ライン２からの抗がん剤を投与するときに開放する固定式のクレンメである。
【００２１】
輸液ライン２をメインの輸液ラインに接続する前に、輸液ライン２のチューブ５内の空気が患者の体内へ送られることを防止するために、チューブ５内つまり輸液ライン２の液体流路内の空気を抗がん剤に置換するプライミングが行われる。プライミングは輸液ライン２の液体流路の末端に設けられるオスコネクタ６に本発明のキャップ１を接続することにより、容易かつ安全に行うことができる。
【００２２】
図２、図３に示すように、キャップ１はケース体１０を有している。このケース体１０は本体部１１とこの本体部１１の一端に固定されるコネクタ部１２とを有している。
【００２３】
本体部１１は樹脂材料により円筒状に形成され、その一端の開口にコネクタ部１２が圧入、接着、融着（溶着）等の固定手段により固定されている。本体部１１は樹脂材料に限らず、各種材質で形成することができるが、その内部が視認可能となるように透明な樹脂材料により形成されるのが好ましい。
【００２４】
コネクタ部１２は樹脂材料により本体部１１に固定される大径部分と先端側の小径部分とを有する略円筒状に形成され、その先端側の小径部分の開口は接続孔１２ａとなっている。つまり、このコネクタ部１２は接続孔１２ａが設けられることによりメスコネクタに構成されている。また、コネクタ部１２の小径部分の外周にはオスコネクタ６への固定部分となる雄ねじ１２ｂが一体に設けられている。
【００２５】
一方、本体部１１の他端には隔壁１１ａが一体に設けられ、この隔壁１１ａの軸心には排気孔１１ｂが設けられている。この排気孔１１ｂは隔壁１１ａの外面に開口しており、この開口が排気用開口１３となっている。また、本体部１１の他端には隔壁１１ａよりも大径の筒状に形成された把持部１１ｃが一体に設けられ、把持部１１ｃの外側にはカバー１４が圧入、接着、融着（溶着）等の固定手段により固定されている。このカバー１４は把持部１１ｃの外径に対応した外径の円板状に形成され、把持部１１ｃに固定されて排気用開口１３を覆っている。また、カバー１４は複数の通気孔１４ａを備え、これらの通気孔１４ａを介して排気用開口１３は外部に連通している。また、カバー１４の外周部には滑り止めのための凹凸部１４ｂが設けられている。
【００２６】
ケース体１０の内部にはシール部材として弁体２０が設けられている。この弁体２０は円板部２０ａと胴部２０ｂとを有し、これらが一体となった有底筒状に形成されている。この弁体２０は、例えばゴム材料や熱可塑性エラストマー等の弾性体により形成することができるが、その内部が視認可能となるように、例えば透明なゴム材料等の弾性体で形成されるのが好ましい。
【００２７】
円板部２０ａはコネクタ部１２の接続孔１２ａの内径に対応した外径を有する円板状に形成されており、接続孔１２ａの内側（内部）に配置されている。また、円板部２０ａの中央には表面から裏面にまで達する開閉可能なスリット２０ｃが設けられている。胴部２０ｂは蛇腹の円筒状に形成され、その一端において円板部２０ａと一体化され、その他端は排気孔１１ｂの縁部において隔壁１１ａから突出するボス部１１ｄに嵌合している。胴部２０ｂは蛇腹の伸縮により軸方向に弾性変形自在となっており、円板部２０ａの外面がコネクタ部１２の先端面と同一面状となるように当該円板部２０ａを接続孔１２ａに向けて付勢している。また、胴部２０ｂの内部は液体収容室２１となっており、この液体収容室２１はボス部１１ｄを介して排気孔１１ｂつまり排気用開口１３に通じている。
【００２８】
円板部２０ａは、自然状態のときにスリット２０ｃが開かれる形状に形成され、接続孔１２ａに配置された状態においてスリット２０ｃが閉じられるように弾性変形して接続孔１２ａを閉塞している。一方、円板部２０ａは、胴部２０ｂを弾性変形させながらケース体１０の内部に向けて押し込まれ、接続孔１２ａから離脱すると、スリット２０ｃを開いて接続孔１２ａを液体収容室２１に連通させる。
【００２９】
本体部１１の隔壁１１ａの排気用開口１３が開口する外面には、フィルタ２２が装着されている。このフィルタ２２は、気体を透過させ、且つ液体を透過させない機能を有する材質で膜状に形成され、隔壁１１ａとカバー１４との間に配置されて排気用開口１３を覆っている。なお、フィルタ２２は、隔壁１１ａとカバー１４との間で挟持固定するようにしてもよい。
【００３０】
ここで、フィルタ２２としては、その表面が疎水化処理されたもの、または疎水性膜（疎水膜）であるものを用いるのが好ましい。このような疎水性膜の構成材料としては、例えば、ポリテトラフルオロエチレン（ＰＴＦＥ）、テトラフルオロエチレンとヘキサフルオロプロピレンの共重合体（ＦＥＰ）、テトラフルオロエチレンとパーフルオロアルキルビニルエーテルの共重合体（ＰＦＡ）、ポリフッ化ビニリデン（ＰＶＤＦ）等を用いることができる。フィルタ２２は、これらの材料を、延伸法、ミクロ相分離法、電子線エッチング法、焼結法、アルゴンプラズマ粒子等の方法で多孔質としたものが好適に用いられる。また、疎水化処理の方法は、特に限定されず、例えば、フィルタ２２の表面に疎水性を有する構成材料をコーティングする方法等を用いることもできる。さらに、フィルタ２２としては、気体を透過させ、且つ液体を透過させない機能を有していれば上記構成のものに限らず、例えば親水性のものなど他の材質のものを用いることもできる。
【００３１】
図４は、図１に示すオスコネクタ６の詳細を示す斜視図である。
【００３２】
オスコネクタ６は円筒状のハウジング３０を有し、このハウジング３０の基端には輸液バッグ３側から延びるチューブ５の末端が接続されている。ハウジング３０の内側には接続部としてのルアー（オスコネクタ）３１が設けられ、このルアー３１の先端には開口３１ａが設けられている。また、ハウジング３０の内部には図示しない内部弁が設けられ、ハウジング３０の内周面とルアー３１の外周面との間には内部弁を開閉操作するための一対の操作片３２が設けられている。操作片３２が図４に示す初期位置から軸方向に沿ってハウジング３０の内部に向けて押し込まれると、内部弁が開いてハウジング３０に接続されたチューブ５がルアー３１の開口３１ａに連通される。反対に、押込みが解除されて操作片３２が初期位置に復帰すると内部弁は閉じられる。
【００３３】
図５は、図２に示すキャップ１のオスコネクタ６に接続された状態の断面図である。
【００３４】
キャップ１は、コネクタ部１２に設けられた雄ねじ１２ｂをオスコネクタ６のハウジング３０の内周面に設けられた雌ねじ３０ｂにねじ結合させることにより、オスコネクタ６に接続される。このとき、キャップ１の把持部１１ｃを持ってキャップ１をハウジング３０に対して回転させることで、そのねじ込み作業を容易に行うことができる。
【００３５】
なお、キャップ１の接続孔１２ａ、雄ねじ１２ｂの形状およびオスコネクタ６のルアー３１の形状、雌ねじ３０ｂが設けられるハウジング３０の形状等は、国際標準化機構による規格番号ISO  594-1、ISO  594-2等により規定された形状とされている。
【００３６】
キャップ１がオスコネクタ６に固定されると、ルアー３１がコネクタ部１２の接続孔１２ａに挿し込まれ、つまり接続孔１２ａに接続される。ルアー３１が接続孔１２ａに接続されると、弁体２０の円板部２０ａがルアー３１によりケース体１０の内部に向けて押し込まれて接続孔１２ａから離脱して接続孔１２ａが開かれる。また、円板部２０ａが接続孔１２ａから離脱すると、円板部２０ａのスリット２０ｃが開かれる。したがって、接続孔１２ａに接続されたルアー３１の開口３１ａはスリット２０ｃを介して液体収容室２１に連通される。
【００３７】
また、キャップ１がオスコネクタ６に固定されると、コネクタ部１２の先端により押されて操作片３２がハウジング３０の内部に押し込まれ、オスコネクタ６の内部弁が開かれる。内部弁が開かれると、チューブ５が開口３１ａと連通し、チューブ５内の空気が輸液バッグ３からの液体により押されてルアー３１の開口３１ａから弁体２０のスリット２０ｃを介して液体収容室２１に流入する。つまり、ルアー３１が接続孔１２ａに接続されると、チューブ５つまり流体流路が液体収容室２１に連通される。液体収容室２１に流入した空気は排気孔１１ｂを通って排気用開口１３に達し、フィルタ２２を透過するとともにカバー１４の通気孔１４ａを通って外部に排出される。
【００３８】
一方、チューブ５内の空気が全てキャップ１に流出すると、チューブ５内の液体がルアー３１の開口３１ａから弁体２０のスリット２０ｃを介して液体収容室２１に流入する。液体収容室２１に流入した液体は排気孔１１ｂを通って排気用開口１３に達するがフィルタ２２を透過することができず、液体収容室２１の内部に保持される。
【００３９】
液体収容室２１を構成する弁体２０の胴部２０ｂおよびケース体１０の本体部１１はともに透明な材料で形成されているので、液体収容室２１が液体のみで満たされていることを外部から視認することができる。そして、液体収容室２１が液体のみで満たされていることを視認することにより、輸液ライン２の空気が全て外部に排出されてプライミングが完了したことを確認することができる。
【００４０】
プライミングが完了すると、キャップ１はオスコネクタ６から取り外される。キャップ１がオスコネクタ６から取り外されると、図３に示すように、弁体２０の円板部２０ａが胴部２０ｂの弾性力により接続孔１２ａの内部に向けて押し戻され、初期位置に復帰する。円板部２０ａが初期位置に復帰すると、接続孔１２ａが円板部２０ａにより閉塞され、また、円板部２０ａのスリット２０ｃが閉じられる。したがって、接続孔１２ａは弁体２０により閉塞された状態となり、液体収容室２１が閉じた状態となってルアー３１から取り外された後にキャップ１の液体収容室２１から外部に液体が漏れ出すことがない。
【００４１】
このように、本発明のキャップ１では、ケース体１０に弁体２０を設け、キャップ１をオスコネクタ６から取り外したときに弁体２０により接続孔１２ａを閉塞するようにしたので、プライミングの完了後、キャップ１をオスコネクタ６から取り外したときに、液体収容室２１から液体が外部へ漏れ出すことを確実に防止することができる。これにより、キャップ１をオスコネクタ６に接続し、液体流路に液体を流し、プライミング完了後にキャップ１をオスコネクタ６から取り外すだけの簡単な手順で、抗がん剤等の薬液を外部に漏出させることなく容易かつ安全に輸液ライン２をプライミングすることができる。
【００４２】
また、弾性体により形成された弁体２０により接続孔１２ａを閉塞する構成としたので、簡単な構成で液漏れを防止することを可能として、このキャップ１のコストを低減することができる。
【００４３】
さらに、本実施の形態においては、ケース体１０とカバー１４との間にフィルタ２２を配置するようにしたので、フィルタ２２の取り付け構造を簡素化することができる。また、カバー１４により覆われてフィルタ２２が保護されるので、フィルタ２２が不意に異物等に触れて破れを生じ、そこから液体が漏れ出すことを防止して、このキャップ１の安全性を高めることができる。
【００４４】
図６は図２に示すキャップの変形例を示す斜視図であり、図７は図６に示すキャップの断面図、図８は図６に示すキャップのオスコネクタに接続された状態の断面図である。なお、図６〜図８においては前述した部材に対応する部材には同一の符号を付してある。
【００４５】
図２に示すキャップ１では、シール部材として、円板部２０ａと胴部２０ｂとを備えた有底筒状の弁体２０が用いられている。これに対して、図６に示す変形例においては、シール部材として円板状の弁体４０を用いるようにしている。
【００４６】
この弁体４０は、例えばゴム材料や熱可塑性エラストマー等の弾性体により円板状に形成された弁本体部４０ａと、弁本体部４０ａの外周に全周に亘って一体に設けられた被保持部４０ｂとを備えている。コネクタ部１２の内側にはコネクタ部１２よりも小径の円筒状の内挿体４１が嵌め込まれ、この内挿体４１とコネクタ部１２の端面との間に被保持部４０ｂが挟み込まれて、弁体４０はコネクタ部１２の内側に固定されている。
【００４７】
なお、内挿体４１は本体部１１と一体に形成した構成とすることもできる。
【００４８】
この変形例では、コネクタ部１２の内側の接続孔１２ａに弁本体部４０ａが配置され、この弁本体部４０ａにより接続孔１２ａが閉塞されている。弁本体部４０ａの外部を向く軸方向の一端面は押込み面４０ｃとなっており、この押込み面４０ｃはコネクタ部１２の先端面と同一面状となって接続孔１２ａから外部に露出している。弁本体部４０ａの押込み面４０ｃには、ルアー３１の挿入用の直線状のスリット４０ｄが設けられている。
【００４９】
また、この変形例では、本体部１１には排気孔が設けられず、本体部１１の内部に設けられる液体収容室２１の一端がそのまま排気用開口１３となっている。この排気用開口１３は本体部１１のコネクタ部１２とは反対側の端面に開口し、本体部１１とカバー１４との間に挟持固定されたフィルタ２２により覆われている。
【００５０】
図７に示すように、キャップ１がオスコネクタ６に接続されていない状態では、接続孔１２ａは弁本体部４０ａにより閉塞されている。
【００５１】
一方、図８に示すように、キャップ１がオスコネクタ６に固定され、ルアー３１がコネクタ部１２の接続孔１２ａに挿し込まれると、弁体４０がルアー３１により押されてコネクタ部１２の内側へ向けて弾性変形するとともにスリット４０ｄが押し開かれてルアー３１の開口３１ａがスリット４０ｄを介して液体収容室２１に連通される。
【００５２】
したがって、キャップ１がオスコネクタ６に接続され、オスコネクタ６の内部弁が開かれると、チューブ５内の空気が輸液バッグ３からの液体により押されてルアー３１の開口３１ａから弁体４０のスリット４０ｄを介して液体収容室２１に流入し、液体収容室２１に流入した空気が排気用開口１３からフィルタ２２を透過して外部に排出される。そして、チューブ５内の空気が全てキャップ１に流入すると、チューブ５内の液体がルアー３１の開口３１ａから弁体４０のスリット４０ｄを介して液体収容室２１に流入する。そして、輸液ライン２の空気がキャップ１により全て外部に排出されるとプライミングが完了する。
【００５３】
プライミングが完了し、キャップ１がオスコネクタ６から取り外されると、図７に示すように、弁本体部４０ａが弾性力により接続孔１２ａを閉塞する初期形状に復帰し、弁体４０により接続孔１２ａが閉塞される。したがって、液体収容室２１は弁体４０により閉塞された状態となり、オスコネクタ６から取り外された後にキャップ１の液体収容室２１から外部に液体が漏れ出すことがない。
【００５４】
図９は図７に示すキャップの変形例であってシール部材として栓体を用いた場合の断面図である。図９においても前述した部材に対応する部材には同一の符号を付してある。
【００５５】
図７に示す変形例では、接続孔１２ａを閉塞するシール部材として円板状の弁体４０を用いるようにしているが、図９に示す変形例では、シール部材として栓体５０を用いるようにしている。この栓体５０は天然ゴムやイソプレンゴム等の各種合成ゴムにより円板状に形成されたゴム栓となっており、図７に示す弁体４０と同様の構造でコネクタ部１２の内部に固定されて接続孔１２ａを閉塞している。
【００５６】
一方、この栓体５０に対応する接続部としては針状のものが用いられる。図示する場合では、接続部として輸液ライン２のチューブ５の末端には接続用の針５１が設けられる。この針５１としては、例えば金属等により形成され、内部に液体流路に連なる流路を備えるとともに先端に流路の開口を備えたものが用いられる。
【００５７】
栓体５０は、上記針５１が刺し込み可能な硬度ないし厚みに形成され、栓体５０に針５１を刺して貫通させることにより、輸液ライン２の液体流路はキャップ１の液体収容室２１に接続される。そして、針５１を介してチューブ５を液体収容室２１に接続することで、輸液ライン２をプライミングすることができる。
【００５８】
なお、栓体５０としては、天然ゴムやイソプレンゴム等の各種合成ゴムにより形成されたゴム栓に限らず、エラストマーや樹脂等の他の材質により形成されたものを用いることもできる。
【００５９】
本発明は前記実施の形態に限定されるものではなく、その要旨を逸脱しない範囲で種々変更可能であることはいうまでもない。
【００６０】
例えば、前記実施の形態においては、排気用開口１３は液体収容室２１の一端に円形に開口するものとされ、フィルタ２２として排気用開口１３を覆う円形の膜状のものが用いられているが、これに限らず、液体収容室２１に連通する排気用開口１３と、この排気用開口１３を覆うフィルタ２２は、液体収容室２１の内部の気体を外部に透過させ、且つ液体を透過させないように構成されていれば種々の構成とすることができる。例えば、液体収容室２１の径方向外側の全周または一部を開口させて排気用開口１３とし、その外周を円筒状またはＵ字形状のフィルタ２２で覆う構成とすることもできる。
【００６１】
また、前記実施の形態においては、ケース体１０は直線状に形成され、その一端に接続孔１２ａ、他端に排気用開口１３が設けられるが、例えばケース体１０をＬ字形状に形成し、接続孔１２ａと排気用開口１３の方向を直行させるなど、接続孔１２ａと排気用開口１３の向きや大きさ等は種々変更することができる。
【００６２】
また、前記実施の形態においては、このキャップ１を用いて、メインの輸液ラインに抗がん剤を混注する輸液ライン２をプライミングする場合について説明したが、このキャップ１は、液体流路にルアー３１や接続用の針５１等の接続部を備えたものであれば、例えばシリンジの先端に設けられたオスコネクタに接続されてシリンジ内をプライミングする場合やメインの輸液ラインをプライミングする場合等にも用いることができる。
【符号の説明】
【００６３】
１    キャップ
２    輸液ライン
３    輸液バッグ
４    コネクタ
５    チューブ
６    オスコネクタ
７    クレンメ
１０    ケース体
１１    本体部
１１ａ  隔壁
１１ｂ  排気孔
１１ｃ  把持部
１１ｄ  ボス部
１２    コネクタ部
１２ａ  接続孔
１２ｂ  雄ねじ
１３    排気用開口
１４    カバー
１４ａ  通気孔
１４ｂ  凹凸部
２０    弁体（シール部材）
２０ａ  円板部
２０ｂ  胴部
２０ｃ  スリット
２１    液体収容室
２２    フィルタ
３０    ハウジング
３０ｂ  雌ねじ
３１    ルアー（接続部）
３１ａ  開口
３２    操作片
４０    弁体（シール部材）
４０ａ  弁本体部
４０ｂ  被保持部
４０ｃ  押込み面
４０ｄ  スリット
４１    内挿体
５０    栓体（シール部材）
５１    針（接続部）
【図１】
2014132293.tif 000003
【図２】
2014132293.tif 000004
【図３】
2014132293.tif 000005
【図４】
2014132293.tif 000006
【図５】
2014132293.tif 000007
【図６】
2014132293.tif 000008
【図７】
2014132293.tif 000009
【図８】
2014132293.tif 000010
【図９】
2014132293.tif 000011
【国際調査報告】
2014132293.tif 000012
2014132293.tif 000013
2014132293.tif 000014
2014132293.tif 000015
2014132293.tif 000016
2014132293.tif 000017
2014132293.tif 000018